(57)【要約】【課題】内壁下地材の少なくとも下部側の取付面において、不陸が生じないようにした間仕切り構造及び内壁下地工法を得る。【解決手段】スタッド１４の幅寸法Ｗ１は天井ランナー１１及び床ランナー１２の幅寸法Ｗ２と略同一となるように設定されている。また、天井ランナー１１又は床ランナー１２に取り付けられる台座１６、１８のプレート２０、２２の長手方向の寸法は、天井ランナー１１及び床ランナー１２の幅寸法Ｗ２と略同一となるように設定されている。そして、台座１６、１８の装着部２４、２６の外形は、スタッド１４の内壁面１４Ａの大きさよりも若干小さくなるように形成されており、当該装着部２４、２６にスタッド１４が装着可能とされている。以上のような構成により、天井ランナー１１の側面１１Ａ及び床ランナー１２の側面１２Ａとスタッド１４の側壁部１４Ｄの表面との間で不陸が生じない。【選択図】図１
2012177258.tif 000002
【特許請求の範囲】
【請求項１】
床面及び天井面に設けられた上下一対のランナーと、
前記一対のランナー間に垂直に配置されたスタッドと、
前記ランナーに固定されると共に前記スタッドの端部が装着され、ランナー及びスタッドの表面を面一にして当該スタッドを支持する台座と、
前記ランナー及び前記スタッドの表面に取り付けられる内壁下地材と、
を有する間仕切り構造。
【請求項２】
前記スタッドの幅寸法が、前記ランナーの幅寸法と同一に設定された請求項１に記載の間仕切り構造。
【請求項３】
前記スタッドが角筒状を成し、
前記台座には、前記スタッドが装着された状態で当該スタッドを支持する装着部が設けられた請求項１又は２に記載の間仕切り構造
【請求項４】
少なくとも前記床面側のランナーに固定される台座に、前記装着部の外壁面の下端から張り出し当該スタッドの荷重を受ける金属製のプレートが設けられた請求項３に記載の間仕切り構造。
【請求項５】
前記台座に形成された係合部と、
前記スタッドに形成され、前記装着部に当該スタッドが装着された状態で前記係合部と係合する被係合部と、
を有する請求項１〜４の何れか１項に記載の間仕切り構造。
【請求項６】
前記被係合部が前記スタッドの内壁面に形成された突部であり、前記係合部が前記装着部に形成され前記突部が係合する凹部である請求項５に記載の間仕切り構造。
【請求項７】
前記装着部が木片で形成された請求項３〜６の何れか１項に記載の間仕切り構造。
【請求項８】
前記床面側に配置された前記台座の装着部の端部と前記天井面側に配置された前記台座の装着部の端部との離間距離は、前記スタッドの長さよりも短くなるように設定され、天井面側の台座の装着部の高さは、床面側の台座の装着部の高さよりも高くなるように設定されている請求項３〜７の何れか１項に記載の間仕切り構造。
【請求項９】
請求項１〜８の何れか１項に記載されたランナーと、スタッドと、台座とが用いられ、
上下一対の前記ランナーに前記台座をそれぞれ固定する台座固定工程と、
前記スタッドの上端部を前記天井面側のランナーに固定された前記台座に装着させた後、前記スタッドの下端部を前記床面側のランナーに固定された前記台座に装着して、前記天井面側の台座と前記床面側の台座とで当該スタッドを支持させるスタッド支持工程と、
を有する内壁下地工法。
【発明の詳細な説明】
【技術分野】
【０００１】
本発明は、スタッド及びランナーを含んで構成された間仕切り構造及び内壁下地工法に関する。
【背景技術】
【０００２】
例えば、特許文献１で示される間仕切り構造では、間仕切り壁とされる内壁の上端部及び下端部には、断面形状が溝形状を成す上下一対のランナーが設けられており、内壁の上端部に位置する上部ランナーと内壁の下端部に位置する下部ランナーとの間には、断面形状が略正方形状を成すスタッドが架け渡されている。
【０００３】
そして、スタッドは上部ランナー及び下部ランナーの延設方向に沿って所定の間隔で配置されるが、ここでは、スタッドがランナーの幅方向で千鳥状に配置されている。つまり、ランナーの一方の側壁部と他方の側壁部とは、スタッドの側壁部との間で、ランナーの延設方向に沿って交互に隙間が設けられるようになっている。
【０００４】
ランナーにはスタッドを固定するため、当該ランナーの幅寸法に合わせて形成されたベース板部がランナーに固定されている。ベース板部には、立ち上がり板部が立設しており、この立ち上がり板部とランナーの側壁部との間にスタッドが嵌め込み可能とされている。そして、立ち上がり板部とランナーの側壁部との間にスタッドが嵌め込まれた状態で、立ち上がり板部からスタッドの側壁部へビスがねじ込まれ、当該立ち上がり板部にスタッドが固定されるようになっている。
【０００５】
ここで、立ち上がり板部と当該立ち上がり板部と対向するスタッドの側壁部との間には、隙間が設けられているため、ビスの頭がランナーの側壁部から突出することはない。つまり、立ち上がり板部と当該立ち上がり板部と対向するスタッドの側壁部との間には、不陸（段差）が生じないこととなる。
【先行技術文献】
【特許文献】
【０００６】
【特許文献１】特開２００８−３０３５５７号公報
【発明の概要】
【発明が解決しようとする課題】
【０００７】
しかしながら、上記先行技術の場合、ランナーの側壁部の表面とスタッドの側壁部の表面との間には、ランナーの側壁部の板厚分の不陸が生じることとなる。つまり、内壁下地材を取り付ける取付面に不陸が発生することとなる。このため、内壁下地材の下部側に巾木を取り付けた場合、当該巾木の上端部又は下端部と内壁下地材との間には隙間が生じる可能性がある。
【０００８】
本考案は上記事実を考慮し、内壁下地材の少なくとも下部側の取付面において、不陸が生じないようにした間仕切り構造及び内壁下地工法を得ることが目的である。
【課題を解決するための手段】
【０００９】
請求項１の発明に係る間仕切り構造は、床面及び天井面に設けられた上下一対のランナーと、前記一対のランナー間に垂直に配置されたスタッドと、前記ランナーに固定されると共に前記スタッドの端部が装着され、ランナー及びスタッドの表面を面一にして当該スタッドを支持する台座と、前記ランナー及び前記スタッドの表面に取り付けられる内壁下地材と、を有している。
【００１０】
請求項１の発明に係る間仕切り構造では、床面及び天井面に設けられた上下一対のランナー間にスタッドが垂直に配置されている。ランナーには台座が固定されており、この台座にスタッドの端部が装着されてスタッドが支持される。この状態では、ランナー及びスタッドの表面が面一となる。そして、このランナー及びスタッドの表面に内壁下地材が取り付けられる。
【００１１】
このように、上下一対のランナー間にスタッドが垂直に配置された状態では、ランナー及びスタッドの表面が面一となるため、ランナーの表面とスタッドの表面との間で不陸（段差）は生じない。このため、ランナー及びスタッドの表面に内壁下地材を取り付けた際、不陸によって生じる内壁下地材の歪みが発生することはない。
【００１２】
請求項２の発明に係る間仕切り構造は、請求項１に記載の間仕切り構造において、前記スタッドの幅寸法が、前記ランナーの幅寸法と同一に設定されている。
【００１３】
請求項２の発明に係る間仕切り構造では、スタッドの幅寸法が、ランナーの幅寸法と同一に設定されているため、一対のランナー間にスタッドが垂直に配置された状態では、ランナーの表面とスタッドの表面とが面一となる。
【００１４】
請求項３の発明に係る間仕切り構造は、請求項１又は２に記載の間仕切り構造において、前記スタッドが角筒状を成し、前記台座には、前記スタッドが装着された状態で当該スタッドを支持する装着部が設けられている。
【００１５】
請求項３の発明に係る間仕切り構造では、スタッドが角筒状を成している。一方、台座には装着部が設けられており、装着部にスタッドが装着された（装着部がスタッド内へ挿入された）状態でスタッドが支持される。台座はランナーに固定されているため、台座の装着部がスタッドに装着され当該台座によってスタッドが支持されることで、台座を介してスタッドがランナーに取り付けられることとなる。
【００１６】
請求項４の発明に係る間仕切り構造は、請求項３に記載の間仕切り構造において、少なくとも前記床面側のランナーに固定される台座に、前記装着部の外壁面の下端から張り出し当該スタッドの荷重を受ける金属製のプレートが設けられている。
【００１７】
請求項４の発明に係る間仕切り構造では、少なくとも床面側のランナーに固定される台座には金属製のプレートが設けられている。このプレートは、装着部の外壁面の下端から張り出しており、当該装着部にスタッドが装着された状態では、スタッドの荷重を受けるように設定されている。このため、スタッドの端面が床面側に設けられたランナーに直接接触することはなく、スタッドの端面によってランナーが損傷することはない。
【００１８】
請求項５の発明に係る間仕切り構造は、請求項１〜４の何れか１項に記載の間仕切り構造において、前記台座に形成された係合部と、前記スタッドに形成され、前記装着部に当該スタッドが装着された状態で前記係合部と係合する被係合部と、を有している。
【００１９】
請求項５の発明に係る間仕切り構造では、台座には係合部が形成され、スタッドには当該係合部と係合する被係合部が形成されており、台座の装着部にスタッドが装着された状態で、台座の係合部にスタッドの被係合部が係合される。係合部に被係合部が係合された状態では、台座の装着部を介して、スタッドを自立させることができる。
【００２０】
請求項６の発明に係る間仕切り構造は、請求項５に記載の間仕切り構造において、前記被係合部が前記スタッドの内壁面に形成された突部であり、前記係合部が前記装着部に形成され前記突部が係合する凹部である。
【００２１】
通常、角スタッドでは、ロールフォーミング加工による端部同士の接合のため、スタッドの内壁面には、当該端部同士が重なり合った状態でかしめられた部分が突部となっている。このため、請求項６の発明に係る間仕切り構造では、台座の装着部に当該突部が係合する凹部を設けることで、台座と係合させるための被係合部をスタッド側に別途設ける必要をなくしている。
【００２２】
請求項７の発明に係る間仕切り構造は、請求項３〜６の何れか１項に記載の間仕切り構造において、前記装着部が木片で形成されている。
【００２３】
請求項７の発明に係る間仕切り構造では、装着部を木片で形成することで、当該装着部を簡単に加工することができ、金属と比較してコストを削減することができる。
【００２４】
請求項８の発明に係る間仕切り構造は、請求項３〜７の何れか１項に記載の間仕切り構造において、前記床面側に配置された前記台座の装着部の端部と前記天井面側に配置された前記台座の装着部の端部との離間距離は、前記スタッドの長さよりも短くなるように設定され、天井面側の台座の装着部の高さは、床面側の台座の装着部の高さよりも高くなるように設定されている。
【００２５】
請求項８の発明に係る間仕切り構造では、床面側に配置された台座の装着部の端部と天井面側に配置された台座の装着部の端部との離間距離は、スタッドの長さよりも短くなるように設定されているため、床面側のランナーに台座が固定され、天井面側のランナーに台座が固定された状態でそのままスタッドを水平移動させると、当該スタッドは台座と干渉してしまう。
【００２６】
しかし、天井面側の台座の装着部の高さは、床面側の台座の装着部の高さよりも高くなるように設定されているため、鉛直方向に対してスタッドを傾倒させ、天井面側の台座の装着部にスタッドの上端部を装着させてスタッドを持ち上げた状態でスタッドの姿勢を正す。そして、当該スタッドを下ろし床面側の台座の装着部にスタッドの下端部を装着させることで、スタッドが台座の装着部によって支持されることとなる。
【００２７】
請求項９の発明に係る内壁下地工法は、請求項１〜８の何れか１項に記載されたランナーと、スタッドと、台座とが用いられ、上下一対の前記ランナーに前記台座をそれぞれ固定する台座固定工程と、前記スタッドの上端部を前記天井面側のランナーに固定された前記台座に装着させた後、前記スタッドの下端部を前記床面側のランナーに固定された前記台座に装着して、前記天井面側の台座と前記床面側の台座とで当該スタッドを支持させるスタッド支持工程と、を有している。
【００２８】
請求項９の発明に係る内壁下地工法では、まず、台座固定工程において、床面及び天井面に設けられる上下一対のランナーにそれぞれ台座を固定する。次に、スタッド支持工程において、スタッドの上端部を天井面側のランナーに固定された台座に装着した後、スタッドの下端部を床面側のランナーに固定された台座に装着して、天井面側の台座と床面側の台座とで当該スタッドを支持させる。つまり、予め一対のランナーに台座が固定された状態で、スタッドを配置することができる。
【発明の効果】
【００２９】
請求項１記載の本発明に係る間仕切り構造は、内壁下地材の少なくとも下部側の取付面において、不陸が生じないようにすることができる、という優れた効果を有する。
【００３０】
請求項２記載の本発明に係る間仕切り構造は、ランナーの表面とスタッドの表面との間で不陸が生じないようにすることができる、という優れた効果を有する。
【００３１】
請求項３記載の本発明に係る間仕切り構造は、工場において予めランナーに台座を固定させておくことで、現場では台座の装着部にスタッドを装着させるだけとなるため、作業性が良く、作業工数が削減される、という優れた効果を有する。
【００３２】
請求項４記載の本発明に係る間仕切り構造は、１つの部品において、目的に合わせ装着部とプレートとでその材質を変えることで、コストを削減することができる、という優れた効果を有する。
【００３３】
請求項５記載の本発明に係る間仕切り構造は、台座の装着部にスタッドを装着させるだけで当該スタッドが自立するため、作業性が良く、作業工数が削減される、という優れた効果を有する。
【００３４】
請求項６記載の本発明に係る間仕切り構造は、スタッドの形状を利用して台座の形状を設定することで、コストダウンを図ることができる、という優れた効果を有する。
【００３５】
請求項７記載の本発明に係る間仕切り構造は、少量生産にも対応することができる、という優れた効果を有する。
【００３６】
請求項８記載の本発明に係る間仕切り構造は、一対のランナーにそれぞれ台座が固定された状態で、スタッドを配置することができる、という優れた効果を有する。
【００３７】
請求項９記載の本発明に係る内壁下地工法は、現場におけるスタッドの取付作業の効率を向上させることができる、という優れた効果を有する。
【図面の簡単な説明】
【００３８】
【図１】本実施形態に係る間仕切り構造の構成を示す分解斜視図である。
【図２】本実施形態に係る間仕切り構造を構成する台座の分解斜視図であり、（Ａ)には天井ランナー側に固定される台座が示され、（Ｂ）には床ランナー側に固定される台座が示されている。
【図３】本実施形態に係る間仕切り構造の作用を説明する側面図であり、（Ａ）にはスタッドの上端部が台座に装着された状態が示され、（Ｂ）にはスタッドが台座によって支持された状態が示されている。
【図４】本実施形態に係る間仕切り構造を示す斜視図である。
【図５】本実施形態に係る間仕切り構造を示す平面図である。
【図６】従来の間仕切り構造による問題点を説明するための断面図である。
【図７】引き戸の内壁構造を示す正面図である。
【図８】図７の８−８線断面図が示されている。
【図９】従来の引き戸の内壁構造による問題点を説明するための断面図である。
【図１０】（Ａ）は本実施形態に係る間仕切り構造の変形例（１）を示す図５に対応する平面図である。（Ｂ）は本実施形態に係る間仕切り構造の変形例（２）を示す図５に対応する平面図である。（Ｃ）は本実施形態に係る間仕切り構造の変形例（３）を示す図５に対応する平面図である。
【図１１】（Ａ）は本実施形態に係る間仕切り構造の変形例（４）を示す図５に対応する平面図である。（Ｂ）は本実施形態に係る間仕切り構造の変形例（５）を示す図５に対応する平面図である。
【図１２】本実施形態に係る間仕切り構造の変形例（６）を示す図５に対応する平面図である。
【発明を実施するための形態】
【００３９】
以下、図１〜図３を用いて、本発明の実施形態に係る間仕切り構造１０について説明する。図１には、本発明の実施形態に係る間仕切り構造１０の構成を示す分解斜視図が示されており、図２（Ａ）、（Ｂ）には、当該間仕切り構造１０を構成する台座１６、１８の分解斜視図が示されている。また、図３（Ａ）、（Ｂ）には、当該間仕切り構造１０の作用を説明する側面図が示されている。
【００４０】
（間仕切り構造の構成）
図１には、天井面側に延設された天井ランナー１１と、当該天井ランナー１１と対向して床面側に延設された床ランナー１２と、この床ランナー１２と天井ランナー１１との間に垂直に配置されたスタッド１４と、が図示されている。
【００４１】
ここでは、天井ランナー１１及び床ランナー１２として角材が用いられているが、角材に限らず断面形状がロ字状を成す角パイプ形状のプラスチックや金属等を用いても良い。一方、スタッド１４は、鋼板などの金属で形成されており、断面形状がロ字状とされた角パイプ形状を成している。このスタッド１４の幅寸法Ｗ１は、天井ランナー１１及び床ランナー１２の幅寸法Ｗ２と略同一となるように設定されている。
【００４２】
ここで、天井ランナー１１とスタッド１４の上端部との間には、台座１６が設けられており、床ランナー１２とスタッド１４の下端部との間には、台座１８が設けられている。そして、図３（Ｂ）に示されるように、この台座１６、１８を介して天井ランナー１１と床ランナー１２との間にスタッド１４が配置されるようになっている。
【００４３】
図２（Ａ）に示されるように、台座１６は、鋼板で形成された矩形状のプレート２０と、略直方体状を成す木製の装着部２４と、を含んで構成されており、図２（Ｂ）に示されるように、台座１８は、台座１６と同様に、鋼板で形成された矩形状のプレート２２と、略直方体状を成す木製の装着部２６と、を含んで構成されている。
【００４４】
そして、台座１６の装着部２４の高さ（Ｈ１）は、台座１８の装着部２６の高さ（Ｈ２）よりも高くなるように設定されている。なお、台座１６と台座１８の構成は、上記のように略同一であるため、以下、代表して台座１８について説明する。
【００４５】
図３（Ａ）、（Ｂ）に示されるように、台座１８の装着部２６の外形は、スタッド１４の内壁面１４Ａの大きさよりも若干小さくなるように形成されており、装着部２６にスタッド１４が装着可能とされている（装着部２６がスタッド１４内へ挿入可能とされている）。一方、図１に示されるように、プレート２２は装着部２６の外形よりも大きく形成されており、プレート２０の長手方向の寸法は、床ランナー１２の幅寸法Ｗ２と略同一となるように設定されている。
【００４６】
また、プレート２２の装着部２６の外壁面２６Ａからの張出量ｔはスタッド１４の肉厚と略同一となるように設定されている。このため、装着部２６にスタッド１４が装着された状態では、スタッド１４の下端面１４Ｂがプレート２２に面接触し、当該プレート２２によってスタッド１４の荷重が支持されることとなる。
【００４７】
また、装着部２６の外壁面２６Ａの長手方向の中央部には、断面形状がコ字状を成す係合部としての凹部２８が、装着部２６の高さ方向の全域に亘って形成されている。一方、スタッド１４の内壁面１４Ａの水平断面形状における長手方向の中央部には突部３０が設けられており、スタッド１４の長さ方向に沿って形成されている。この突部３０が凹部２８と係合可能とされている。
【００４８】
なお、この突部３０は、ロールフォーミング加工により形成された端部同士を接合させるためのかしめ部である。また、突部３０の両側には、断面形状が三角状を成す複数の突起部１５がスタッド１４の長手方向に沿って延設されている。この突起部１５によってスタッド１４の強度及び剛性が高められている。
【００４９】
図２（Ｂ）に示されるように、装着部２６の長手方向の両側には、装着部２６の幅方向の中央部にそれぞれ取付孔３２が設けられている。また、プレート２２の幅方向の中央部には、装着部２６に設けられた取付孔３２に対応して取付孔３４が設けられている。装着部２６の取付孔３２とプレート２２の取付孔３４に、例えば釘（図示省略）が貫通し、図１に示されるように、装着部２６とプレート２２とが一体になった状態で、台座１８が床ランナー１２に固定されることとなる。なお、台座１６も台座１８と同様、天井ランナー１１に固定される。
【００５０】
そして、図３（Ａ）に示されるように、天井ランナー１１に台座１６が固定され、床ランナー１２に台座１８が固定された状態では、台座１６の装着部２４の端面２４Ｂと台座１８の装着部２６の端面２６Ｂとの離間距離Ｈは、スタッド１４の長さＬよりも短くなるように設定されている。
【００５１】
ところで、スタッド１４は天井ランナー１１及び床ランナー１２の形状に沿って所定のピッチで配置されることとなるが、間仕切りでは、例えば、図４及び図５（図５は図４の平面図であるが、分かりやすくする台座１６を実線で図示している）に示されるように、内壁３１と内壁３３とがＴ字状に交差する交差部３５、３６がそれぞれ存在する。
【００５２】
交差部３５、３６以外の部分では、天井ランナー１１及び床ランナー１２は直線状に設けられるため、交差部３５、３６において、例えば、天井ランナー１１又は床ランナー１２からそれぞれ独立させた部品として、以下で説明するように、交差部材３８、４０を設けても良い。なお、天井ランナー１１側の交差部材３８と床ランナー１２側の交差部材４０とでその構成は略同じであるため、ここでは代表して天井ランナー１１側の交差部材３８についての説明を行う。
【００５３】
交差部材３８では、Ｔ字形のランナー４２を備えている。ランナー４２の入隅部４４では、内壁下地材５２（図３（Ｂ）参照）が交差することとなるので、当該内壁下地材５２を取り付けるための取付面を確保するため、入隅部４４にはスタッド１４を設ける必要がある。このため、ランナー４２の入隅部４４には、それぞれ台座１６が設けられる。
【００５４】
（内壁下地工法）
次に、上記の間仕切り構造による内壁下地工法について説明する。
【００５５】
図１及び図３（Ａ）に示されるように、まず、台座固定工程では、天井面４６に取り付けられる天井ランナー１１に台座１６を取り付けて固定し、床面４８に取り付けられる床ランナー１２に台座１８を取り付けて固定する。なお、この工程については、工場で予め行うことができるが、天井ランナー１１及び床ランナー１２の端部においては、現場において寸法調整を行う必要がある等の観点から、現場で台座１６、１８を固定するのが好ましい。
【００５６】
そして、図３（Ａ）に示されるように、天井面４６に天井ランナー１１が固定され、床面４８に床ランナー１２が固定された状態では、台座１６と台座１８とは対向して配置されることとなる。ここで、台座１６の装着部２４の端面２４Ｂと台座１８の装着部２６の端面２６Ｂとの離間距離Ｈは、スタッド１４の長さＬよりも短くなるように設定されている。このため、台座１６と台座１８の間でスタッド１４をそのまま水平移動させると、当該スタッド１４は台座１６、１８と干渉してしまう。
【００５７】
したがって、スタッド支持工程では、スタッド１４を鉛直方向に対して傾倒させ、スタッド１４の上端部を天井ランナー１１に固定された台座１６の装着部２４に装着させる。このとき、スタッド１４の内壁面１４Ａに設けられた突部３０（図１参照）が台座１６の装着部２４に設けられた凹部２８と係合する。
【００５８】
そして、スタッド１４を上方へ持ち上げ、図３（Ａ）に示されるように、スタッド１４の上端面１４Ｃが台座１６のプレート２０に面接触した状態で当該スタッド１４の上端部を基準にスタッド１４の姿勢を正す。この状態で、スタッド１４の下端部が床ランナー１２に固定された台座１８と対向することとなる。
【００５９】
次に、図３（Ｂ）に示されるように、スタッド１４を下方へ移動させると（下ろすと）、スタッド１４の突部３０（図１参照）が台座１８の装着部２６に設けられた凹部２８と係合すると共に、スタッド１４の下端面１４Ｂが台座１８のプレート２２に面接触する。この状態では、スタッド１４の荷重はプレート２２によって支持されると共に、当該スタッド１４は起立状態が維持される（台座１６、１８によって支持される）。
【００６０】
そして、内壁下地材取付工程では、天井ランナー１１、スタッド１４及び床ランナー１２に、例えば石膏ボードなどの内壁下地材５２を接触させた状態で釘打ちを行い、天井ランナー１１の側面１１Ａ及び床ランナー１２の側面１２Ａとスタッド１４の側壁部１４Ｄの表面に内壁下地材５２を取り付ける。つまり、天井ランナー１１の側面１１Ａ及び床ランナー１２の側面１２Ａとスタッド１４の側壁部１４Ｄの表面が、内壁下地材５２の取付面となる。
【００６１】
なお、図３（Ｂ）に示されるように、スタッド１４を下方へ移動させると、スタッド１４の上端面１４Ｃと台座１６のプレート２０との間に隙間が設けられることとなり、装着部２４の一部が外部へ露出し、所謂不陸（段差）が生じることとなる。ここでは、スタッド１４の鉛直方向の移動を分かりやすく説明するため、不陸部分（装着部２４の露出部分）を大きくしているが、この不陸部分は、長さ２ｍのスタッド１４に対して約２ｃｍ程度である。そして、この部分には釘打ちを行わないため、内壁下地材５２に影響を及ぼすことはない。
【００６２】
（間仕切り構造の作用・効果）
図１に示されるように、スタッド１４の幅寸法Ｗ１は天井ランナー１１及び床ランナー１２の幅寸法Ｗ２と略同一となるように設定されている。また、天井ランナー１１又は床ランナー１２に取り付けられる台座１６、１８のプレート２０、２２の長手方向の寸法は、天井ランナー１１及び床ランナー１２の幅寸法Ｗ２と略同一となるように設定されている。そして、台座１６、１８の装着部２４、２６の外形は、スタッド１４の内壁面１４Ａの大きさよりも若干小さくなるように形成されており、装着部２４、２６にスタッド１４が装着可能とされている（装着部２４、２６がスタッド１４内へ挿入可能とされている）。
【００６３】
以上のような構成により、図３（Ｂ）に示されるように、装着部２４、２６にスタッド１４が装着され当該スタッド１４が台座１６、１８によって支持された状態で、天井ランナー１１の側面１１Ａ及び床ランナー１２の側面１２Ａとスタッド１４の側壁部１４Ｄの表面とが面一となる。つまり、天井ランナー１１の側面１１Ａ及び床ランナー１２の側面１２Ａとスタッド１４の側壁部１４Ｄの表面との間で不陸が生じない。
【００６４】
例えば、図６に示されるように、断面形状がコ字状に形成されたランナー２００の対面するフランジ２０２、２０４間にスタッド２０６を差し込む構成の場合、スタッド２０６の側壁部２０６Ａの表面とフランジ２０２、２０４の側面との間にはフランジ２０２、２０４の板厚分の不陸が生じてしまう。
【００６５】
このため、このランナー２００及びスタッド２０６の表面に取り付けられた内壁下地材２０８、２１０の外側に巾木２１２を取り付けると、当該巾木２１２の上端部と内壁下地材２０８との間（Ａ部）、或いは巾木２１４の下端部と内壁下地材２１０との間（Ｂ部）には隙間が生じ、内壁２１６の見栄え品質が劣ってしまう可能性がある。
【００６６】
一方、図７及び図８には引き戸４９（図８参照）の内壁構造が示されており、図７は引き戸４９の内壁構造が示す正面図が示され、図８には図７の８−８線断面図が示されている。図７に示されるように、開口部５８の上部は垂壁６０となっており、開口部５８の両側には内壁６２が設けられている。また、開口部５８内には戸袋壁６４が設けられており、図８に示されるように、当該戸袋壁６４には引き戸４９が対向可能となっている。また、戸袋壁６４では、薄壁用のランナー６６及びスタッド６８が用いられており、当該ランナー６６及びスタッド６８の外側に内壁下地材５２が設けられる。なお、一方の内壁下地材５２は垂壁６０まで延びている。
【００６７】
引き戸４９と戸袋壁６４とでは、遮音性能や断熱性能を上げるため、互いに近接（約３ｍｍ）させた状態で配置されているが、図９に示されるように、ランナー２１８とスタッド２２０との間で不陸が生じると、戸袋壁２２４を構成する内壁下地材２２６に歪みが生じ、当該内壁下地材２２６と引き戸２２８とが干渉する場合もあり、引き戸２２８の開閉に不具合が生じることとなる。
【００６８】
しかし、本実施形態では、図８に示されるように、ランナー６６の側面６６Ａとスタッド６８の側壁部６８Ａの表面との間で不陸が生じないため、内壁下地材５２と引き戸４９とが干渉するという不具合は生じない。
【００６９】
ここで、図３（Ｂ）に示されるように、天井ランナー１１の側面１１Ａ及び床ランナー１２の側面１２Ａとスタッド１４の側壁部１４Ｄの表面とを面一にするため、例えば、図示はしないが、スタッドの端部に絞り加工を施して、断面形状がコ字状を成す天井ランナー及び床ランナーの対向する側壁間へ当該スタッドを嵌め込む方法や角状を成す木製ランナー及び木製スタッドの双方に半球型の加工を施して凹凸形状により互いに係合させる方法等がある。
【００７０】
しかし、絞り加工の場合、機械による加工となるため、現場において当該絞り加工を施すということは困難であり、事前にプレカット及び加工処理が必要となる。一方、半球型の加工ではランナーとスタッド双方に加工が必要となり、しかも半球型では水平面を確保することができず、また、一対のランナーの離間距離とスタッドの長さは略同じであるため、ランナーを配置するとスタッドを鉛直移動させることができない。したがって、ランナーを先行配置した後スタッドを取り付けるという作業手順における組み付けができない。つまり、作業手順が限定され、住宅などの多様な壁厚と高さ・開口を持つ内壁下地工法に適用させるのは不向きである。
【００７１】
これらに対して、本実施形態では、スタッド１４に特別な加工を施すことはなく、また、天井ランナー１１及び床ランナー１２に台座１６、１８がそれぞれ固定された状態で、当該台座１６、１８の装着部２４、２６にスタッド１４を装着させることができる。そして、装着部２４、２６にスタッド１４を装着させるだけで、台座１６、１８に支持された状態で当該スタッド１４を天井ランナー１１と床ランナー１２との間に配置することができるため、作業手順が限定されることはない。
【００７２】
また、工場において予め天井ランナー１１及び床ランナー１２にそれぞれ台座１６、１８を固定させておくことで、現場では台座１６の装着部２４及び台座１８の装着部２６にスタッド１４を装着させるだけとなる。これにより、現場での作業性が向上し、作業工数が削減される。
【００７３】
また、ここでは、台座１８のプレート２２が装着部２６の外壁面２６Ａから張り出し、スタッド１４の荷重を支持するようになっている。つまり、プレート２２ではその分の強度が必要となる。したがって、台座１８において、少なくともプレート２２を鋼板とすることで、必要な強度を確保することができる。また、プレート２２を金属製とすることで、床ランナー１２の上面１２Ｂがスタッド１４の下端面１４Ｂによって損傷することはない。
【００７４】
さらに、図１に示されるように、装着部２４、２６の長手方向の中央部には凹部２８が形成され、スタッド１４の内壁面１４Ａに設けられた突部３０が係合可能とされている。これにより、凹部２８に突部３０が係合された状態で、台座１６、１８の装着部２４、２６を介して、スタッド１４を自立させることができる。
【００７５】
ここで、スタッド１４の内壁面１４Ａに設けられた突部３０は、ロールフォーミング加工により形成された端部同士を接合させるためのかしめ部であり、この突部３０に対応させて装着部２４、２６に凹部２８を設けることで、当該スタッド１４側に別途加工を施す必要をなくしている。
【００７６】
ところで、本実施形態では、図４及び図５に示されるように、内壁３１、３３が交差する交差部３５、３６において、部品化されたＴ字形の交差部材３８、４０を設けている。これにより、交差部３５、３６以外の部分では、天井ランナー１１及び床ランナー１２が直線部のみの構成となるため、天井ランナー１１及び床ランナー１２を天井面４６又は床面４８に取り付ける際の作業性が向上する。
【００７７】
（その他の実施形態）
本実施形態では、図４及び図５に示されるように、内壁３１、３３がＴ字状に交差する交差部３５、３６に、部品化された交差部材３８、４０を設けるようにしたが、天井ランナー１１又は床ランナー１２から独立させた部品としては、Ｔ字状の交差部材３８、４０に限るものではない。以下、図１０〜図１２を用いて具体例を説明する。なお、図１０〜図１２は図５に対応して図示された平面図である。
【００７８】
（１）例えば、図１０（Ａ）に示されるように、内壁７０、７２が十字状に交差する交差部７４に交差部材７６を設けても良い。この交差部材７６では、十字形のランナー７８を備えており、このランナー７８の入隅部４４にそれぞれ台座１６が設けられている。この台座１６が設けられた箇所にスタッド１４（図４参照）が設けられることとなる。
【００７９】
（２）また、十字状の交差部材７６以外にも、図１０（Ｂ）に示されるように、内壁８０、８２がＬ字状に交差する交差部８４に交差部材８６を設けても良い。この交差部材８６では、Ｌ字形のランナー８８を備えている。Ｌ字状のランナー８８の場合、入隅部４４に加え出隅部９０も設けられるため、当該出隅部９０及び入隅部４４に台座１６が設けられることとなる。
【００８０】
（３）さらに、図１０（Ｃ）に示されるように、内壁９２、９４、９６が略Ｚ字状（クランク状）に交差する交差部９８に交差部材１００を設けても良い。この交差部材１００では、Ｚ字形のランナー１０２を備えている。そして、このランナー１０２の入隅部４４及び出隅部９０にそれぞれ台座１６が設けられる。
【００８１】
（４）一方、図１１（Ａ）に示されるように、内壁１０４と直交して垂壁１０６等が設けられる場合、内壁１０４の上部側のみに交差部材としての直線状のランナー１０８が設けられることとなる。この場合、ランナー１０８には、垂壁１０６用のスタッドを支持するための台座１１０が設けられ、垂壁１０６と直交する内壁１０４用のスタッド１４（図４参照）を支持するための台座１１２とが互いに隣接した状態で設けられることとなる。
【００８２】
（５）さらにまた、交差部以外にも、図１１（Ｂ）に示されるように、出隅部がＲ状に形成されたＲコーナ部１１４についても適用可能である。Ｒコーナ部１１４では、Ｒ形状に湾曲したランナー１１６を備えており、台座１６はランナー１１６の曲率中心Ｏを中心に放射線状に配置されることとなる。
【００８３】
（６）また、図８に示されるように、内壁（厚壁）６０と戸袋壁（薄壁）６４のように壁厚が異なる場合についても適用可能である。例えば、図１２に示されるように、厚壁６０と薄壁６２との間に接続部材１１８を設ける。この接続部材１１８では、厚壁６０を支持する厚肉ランナー１２０と薄壁６２を支持する薄肉ランナー１２２とが設けられている。厚肉ランナー１２０又は薄肉ランナー１２２の壁厚に合わせてスタッド（図示省略）は大きさが異なるため、壁厚差によって生じる入隅部４４には、このスタッドに合わせて大きさの異なる台座１２４、１２６がそれぞれ設けられることとなる。なお、ここでの薄壁６４は戸袋壁に限るものではない。
【００８４】
以上のように、内壁の交差部などに専用の部品を用いることによって、様々な内壁に対応することができる。そして、内壁の交差部などを部品化することによって、ランナーには予め台座が固定されることとなり、現場でのスタッドの位置決め作業は不要となり、作業効率が良くなる。また、内壁の交差部などを部品化することによって、スタッドの使用位置が予め確定されるため、当該スタッドの配置が作業者によってバラツクという問題は生じない。また、スタッドの必要数も予め確定するため、作業の無駄を排除することができる。
【００８５】
さらに、スタッドの配置が予め確定されることにより、内壁下地材の表面に設けられる壁ボードのプレカット化が可能となり、壁ボードの数量も確定し無駄を排除することができる。壁ボードのプレカット化は、現場での産廃量も削減することができる。つまり、内壁下地材の積算と壁ボードの積算を正確に行うことができ、設計・積算・手配作業の効率化を図ることができる。
【００８６】
（実施形態の補足説明）
図３（Ｂ）に示されるように、天井ランナー１１に固定される台座１６では、床ランナー１２に固定される台座１８のプレート２２のようにスタッド１４の端部が面接触するということはないため、必ずしもプレート２０は必要ではない。
【００８７】
また、ここでは、台座１６、１８は、それぞれ装着部２４、２６とプレート２０、２２とを含んで構成されており、一例として、装着部２４、２６を木片で形成し、プレート２０、２２を鋼板で形成している。つまり、台座１６、１８は二部材で形成されている。このため、装着部２４、２６に形成された取付孔３２及びプレート２０、２２に形成された取付孔３４に釘を貫通させ、装着部２４、２６とプレート２０、２２とを一体化させた状態で、それぞれ天井ランナー１１及び床ランナー１２に固定させている。
【００８８】
しかし、台座１６、１８は必ずしも二部材である必要はなく、例えば、装着部２４、２６をプラスチックで形成し、インサート成形により金属製のプレート２０、２２と一体成形させても良い。勿論、装着部２４、２６を金属で形成しても良い。なお、装着部２４、２６をプラスチックや金属で成形する場合、成形後のヒケを防止するため、装着部２４、２６の内側を中空にする必要がある。
【００８９】
また、ここでは、スタッド１４が装着可能な装着部２４、２６を台座１６、１８に設け、当該装着部２４、２６によってスタッド１４を支持するようにしたが、天井ランナー１１の側面１１Ａ及び床ランナー１２の側面１２Ａとスタッド１４の側壁部１４Ｄの表面が面一となるようにすることができれば良いため、これに限るものではない。例えば、図示はしないが、スタッドの端部に切欠き部を形成し、台座には当該切欠き部と嵌合する突起部を設け、当該突起部が切欠き部に嵌め込まれることで、スタッドが支持されるようにしても良い。
【符号の説明】
【００９０】
１０      間仕切り構造
１１      天井ランナー（ランナー）
１２      床ランナー（ランナー）
１４      スタッド
１６      台座
１８      台座
２２      プレート
２４      装着部
２６      装着部
２８      凹部（係合部）
３０      突部（被係合部）
４２      ランナー
４６      天井面
４８      床面
５２      内壁下地材
６６      ランナー
６８      スタッド
７８      ランナー
８８      ランナー
１０２    ランナー
１０８    ランナー
１１０    台座
１１２    台座
１１６    ランナー
１２０    厚肉ランナー（ランナー）
１２２    薄肉ランナー（ランナー）
１２４    台座
１２６    台座
【図１】
2012177258.tif 000003
【図２】
2012177258.tif 000004
【図３】
2012177258.tif 000005
【図４】
2012177258.tif 000006
【図５】
2012177258.tif 000007
【図６】
2012177258.tif 000008
【図７】
2012177258.tif 000009
【図８】
2012177258.tif 000010
【図９】
2012177258.tif 000011
【図１０】
2012177258.tif 000012
【図１１】
2012177258.tif 000013
【図１２】
2012177258.tif 000014